(57)【要約】【課題】電子マネー決済に付随する電子クーポン及び電子レシートの利便性を向上する。【解決手段】携帯電話機１は、決済端末装置４１と決済を行うための決済処理部３と、クーポン情報を記憶し、所定のユーザ操作を受け付けると、有効なクーポン情報を決済端末装置４１へ送信するクーポン管理部９を備える。決済端末装置４１は、携帯電話機１と決済を行うための決済処理部４５を備える。決済処理部45は、携帯電話機１から送信されたクーポン情報に従った決済を行ったときは、クーポン情報の使用済み通知を送信する。クーポン管理部９は、決済端末装置４１からクーポン情報の使用済み通知を受けると、当該通知された使用済み通知に係るクーポン情報を無効化する。【選択図】図１
2007280065.tif 000002
【特許請求の範囲】
【請求項１】
電子マネーでの支払いをするためのユーザ端末装置と、前記ユーザ端末装置と通信可能で、電子マネーによる支払いを受け付けるための決済端末装置とを備えた電子マネー決済システムであって、
前記ユーザ端末装置は、
前記決済端末装置と決済を行うためのユーザ端末装置用決済手段と、
クーポン情報を記憶するクーポン情報記憶部と、
所定のユーザ操作を受け付けると、前記クーポン情報記憶部に記憶されている有効なクーポン情報を決済端末装置へ送信する手段と、
前記決済端末装置からクーポン情報の使用済み通知を受けると、前記クーポン情報記憶部に記憶されている、当該通知された使用済み通知に係るクーポン情報を無効化する手段と、を備え、
前記決済端末装置は、
前記ユーザ端末装置と決済を行うための決済端末装置用決済手段と、
前記決済端末装置用決済手段が前記ユーザ端末装置から送信された前記クーポン情報に従った決済を行ったときに、前記ユーザ端末装置へ前記クーポン情報の使用済み通知を送信する手段と、を備えた電子マネー決済システム。
【請求項２】
前記ユーザ端末装置は、
インターネット通信機能または電子メール通信機能を備え、
前記クーポン情報は、前記インターネット通信機能または電子メール通信機能により取得したものであることを特徴とする請求項１記載の電子マネー決済システム。
【請求項３】
前記決済端末装置は、
前記決済端末装置用決済手段で決済した結果を示す電子レシート情報を生成し、前記ユーザ端末装置へ送信する電子レシート手段を、さらに備え、
前記ユーザ端末装置は、
前記決済端末装置から送信された前記電子レシート情報を記憶するレシート記憶手段と、
前記レシート記憶手段に記憶されている電子レシート情報を送信する送信手段とを、さらに備えることを特徴とする請求項１記載の電子マネー決済システム。
【請求項４】
前記ユーザ端末装置は、携帯電話機と一体となって構成されていることを特徴とする請求項１記載の電子マネー決済システム。
【請求項５】
電子マネーでの支払いをするためのユーザ端末装置と通信可能で、電子マネーによる支払いを受け付けるための決済端末装置であって、
前記ユーザ端末装置と決済を行うための決済端末装置用決済手段と、
前記ユーザ端末装置からクーポン情報を受け付ける手段と、
前記決済端末装置用決済手段が前記受け付けたクーポン情報に従った決済を行ったときに、前記ユーザ端末装置へ前記クーポン情報の使用済み通知を送信して、前記クーポン情報を無効化させる手段と、を備えた決済端末装置。
【発明の詳細な説明】
【技術分野】
【０００１】
本発明は、ユーザ端末装置に記録された電子マネー情報を非接触で読み取って決済処理を行う決済端末装置及び電子マネー決済システムに関する。
【背景技術】
【０００２】
近年、非接触通信型のＩＣチップを利用した電子マネーによる決済サービスが広く普及し始めていている。特に、携帯電話機に電子マネーのユーザ端末装置を組み込んだ、電子マネー機能付き携帯電話機がその普及を牽引している。ユーザは、このような電子マネー機能付き携帯電話機を専用の決済端末にかざすことにより、非接触ＩＣチップが行う処理により支払いを済ませることができる。
【発明の開示】
【発明が解決しようとする課題】
【０００３】
ところで、従来の現金決済の場合、決済に伴って紙媒体がやりとりされることがあった。例えば、割引を受けるためのクーポン券や、支払いを済ませると発行されるレシートなどは、紙に印刷されているものである。
【０００４】
電子マネー決済により支払いが電子化されたことにより、ユーザ及び店舗の双方ともに現金の出し入れがなくなって便利になったので、さらに、クーポン券やレシートも電子化し、紙媒体のやりとりがなくなればさらに便利である。
【０００５】
そのような発想の元、従来もクーポン券及びレシートの電子化が行われている。しかしながら、電子クーポンは、携帯電話機などに取り込んだクーポン情報を表示して、店頭で店員に見せることで割引を受けるものであったし、また、電子レシートも、携帯電話機に取り込んで表示させるものであった。
【０００６】
そこで、本発明の目的は、電子マネー決済に付随する電子クーポン及び電子レシートの利便性を向上することである。
【課題を解決するための手段】
【０００７】
本発明の一実施態様に従う電子マネー決済システムは、電子マネーでの支払いをするためのユーザ端末装置と、前記ユーザ端末装置と通信可能で、電子マネーによる支払いを受け付けるための決済端末装置とを備える。そして、前記ユーザ端末装置は、前記決済端末装置と決済を行うためのユーザ端末装置用決済手段と、クーポン情報を記憶するクーポン情報記憶部と、所定のユーザ操作を受け付けると、前記クーポン情報記憶部に記憶されている有効なクーポン情報を決済端末装置へ送信する手段と、前記決済端末装置からクーポン情報の使用済み通知を受けると、前記クーポン情報記憶部に記憶されている、当該通知された使用済み通知に係るクーポン情報を無効化する手段と、を備える。前記決済端末装置は、前記ユーザ端末装置と決済を行うための決済端末装置用決済手段と、前記決済端末装置用決済手段が前記ユーザ端末装置から送信された前記クーポン情報に従った決済を行ったときに、前記ユーザ端末装置へ前記クーポン情報の使用済み通知を送信する手段と、を備える。
【０００８】
これにより、電子化されたクーポン情報も、紙に印刷されたクーポン券と同様に、使用回数を制限することができる。
【０００９】
好適な実施形態では、前記ユーザ端末装置は、インターネット通信機能または電子メール通信機能を備え、前記クーポン情報は、前記インターネット通信機能または電子メール通信機能により取得したものであってもよい。
【００１０】
好適な実施形態では、前記決済端末装置は、前記決済端末装置用決済手段で決済した結果を示す電子レシート情報を生成し、前記ユーザ端末装置へ送信する電子レシート手段を、さらに備える。前記ユーザ端末装置は、前記決済端末装置から送信された前記電子レシート情報を記憶するレシート記憶手段と、前記レシート記憶手段に記憶されている電子レシート情報を送信する送信手段とを、さらに備えてもよい。
【００１１】
これにより、電子化されたレシートの情報をパソコンなどに取り込んで、家計簿ソフトの入力とすることが容易となる。
【００１２】
本発明の一実施態様に従う、電子マネーでの支払いをするためのユーザ端末装置と通信可能で、電子マネーによる支払いを受け付けるための決済端末装置は、前記ユーザ端末装置と決済を行うための決済端末装置用決済手段と、前記ユーザ端末装置からクーポン情報を受け付ける手段と、前記決済端末装置用決済手段が前記受け付けたクーポン情報に従った決済を行ったときに、前記ユーザ端末装置へ前記クーポン情報の使用済み通知を送信して、前記クーポン情報を無効化させる手段と、を備える。
【００１３】
好適な実施形態では、前記ユーザ端末装置は、携帯電話機と一体となって構成されていてもよい。
【発明を実施するための最良の形態】
【００１４】
以下、本発明の一実施形態に係る電子マネー決済システムについて、図面を参照しながら詳細に説明する。
【００１５】
図１は、本実施形態に係る電子マネー決済システムの構成を示すブロック図である。
【００１６】
本システムは、同図に示すように、ユーザ端末装置である携帯電話機１と、店舗などに設置される決済端末装置４１とを備える。携帯電話機１と決済端末装置４１とは、互いに通信を行って、電子マネーによる所定の決済処理を行う。
【００１７】
特に、本実施形態に係る電子マネー決済システムは、複数種類の決済サービスのいずれも、決済端末装置４１を用いて決済することができるようになっている。従って、決済端末装置４１がサポートするいずれかの決済サービスの決済機能を搭載した携帯電話機１との間で、電子マネーによる決済を行うことができる。
【００１８】
さらに、本実施形態に係る電子マネー決済システムでは、携帯電話機１にも、複数種類の決済サービスでの決済を行うためのユーザ端末用の機能を搭載することが可能である。
【００１９】
以下の実施形態では、決済端末装置４１には決済サービスＡ〜Ｅに係る決済端末用の決済機能が搭載されていて、携帯電話機１には、決済サービスＡ、Ｂ、及びＥに係るユーザ端末用の決済機能が搭載されている。
【００２０】
携帯電話機１は、決済端末装置４１との間で決済処理を行う決済処理部３と、決済処理部３を管理する決済管理部５と、通常の携帯電話機としての通話機能、電子メール機能、及びインターネット機能などを実現する携帯電話機能部７と、電子クーポンに関する情報を記憶し、その管理を行うクーポン管理部９と、決済端末装置４１から受信した電子レシート情報を記憶し、その電子レシート情報を表示させたり、電子メールなどによって他のパソコンへ送信したりする電子レシート管理部１１とを備える。
【００２１】
決済処理部３は、例えば、所定のＩＣチップにより実現することができる。そして、決済処理部３は、決済サービスＡ用の個別決済処理部１５、決済サービスＢ用の個別決済処理部１７、及び決済サービスＥ用の個別決済処理部１９と、これら複数の個別個別決済処理部１５，１７，１９を管理する統合管理部１３と、決済端末装置４１との間で無線によって電子マネーの決済に関する各種データの送受信を行う通信部２１とを備えた構成となっている。
【００２２】
統合管理部１３は、所定のインストーラプログラムを用いて、所望の決済サービス用の決済処理部を携帯電話機１にインストールすることができる。また、統合管理部１３は、ユーザが決済管理部５で設定した決済サービスの選択及びレシート発行方法に関するユーザ設定情報を通信部２１経由で決済端末装置４１へ送信する機能を備えている。さらに、統合管理部１３は、決済端末装置４１から送信されてきた決済情報や電子レシート情報を決済管理部５、クーポン管理部９及び電子レシート管理部１１などに受け渡す機能も備えている。
【００２３】
各個別個別決済処理部１５，１７，１９は、それぞれの決済サービスに固有の手順に従って、決済端末装置４１に搭載されている、それぞれ対応する個別決済処理部５７，５９，６５と決済処理を行う。
【００２４】
決済管理部５は、例えば、携帯電話機１内のプロセッサに所定のプログラムを実行させることにより実現することができる。
【００２５】
決済管理部５は、ユーザ設定情報記憶部２３を備えた統合管理部２２と、各決済サービス用の個別決済処理部１５，１７，１９をそれぞれ管理する個別決済管理部２５，２７，２９とを備えた構成となっている。
【００２６】
統合管理部２２は、ユーザが指定した各種設定情報をユーザ設定情報記憶部２３に格納する。ユーザ設定情報は、例えば、携帯電話機１が複数の決済サービスを利用可能であるときに、どの決済サービスを利用するかを決定するための優先順位、決済金額に応じてどの決済サービスを利用するかを定めるための選択条件、あるいは決済端末装置４１が設置されている店舗に応じて利用する決済サービスを選択するための選択条件などを含むようにしてもよい。
【００２７】
例えば、３０００円未満の買い物は決済サービスＡ、３０００円以上の買い物は決済サービスＢというように、購入金額によって決済サービスを選択することができる。また、利用する決済サービスの優先順序をあらかじめ設定することもできる。さらには、第１の店舗で購入した場合は決済サービスＡによって決済を行い、第２の店舗で購入した場合は決済サービスＢによって決済を行うというように、店舗ごとに個別の決済サービスを設定することもできる。また、プリペード式の決済サービスの場合は残高の多いものから、クレジット式の決済サービスの場合は購入限度額までの残額の大きいものからというように設定することもできる。
【００２８】
個別決済管理部２５，２７，２９は、それぞれ対応する個別決済処理部１５，１７，１９の処理に関するユーザインタフェースを提供する。
【００２９】
クーポン管理部９は、クーポン情報を保持し、それを管理する。クーポン情報は、例えば、携帯電話機能部７がインターネット機能または電子メール機能を利用して取得することもできるし、通信部２１を介して取り込んでもよい。
【００３０】
電子マネー決済を行う際に、ユーザが所定の操作を行ってクーポンを使用する意思表示をしたときに、クーポン管理部９は、クーポン情報を通信部２１を介して決済端末装置４１へ送信する。クーポン情報を送信した後、決済端末装置４１からクーポンの使用済み通知を受けると、クーポン管理部９は、そのクーポン情報を削除したり、所定の使用済み情報を付加したりして無効化する。
【００３１】
電子レシート管理部１１は、決済端末装置４１が生成した電子レシート情報を受け取ってそれを保持及び管理する。また、電子レシート情報は、携帯電話機１の表示部によって可視的に表示させたり電子メールによって他のパソコンへ転送したりすることもできる。これにより、電子レシート情報をパソコンの家計簿ソフトなどの入力として利用することが容易になる。
【００３２】
決済端末装置４１は、各決済サービスの管理センタと通信を行う決済通信部４３と、決済処理を実行する決済処理部４５と、複数の決済サービスから決済を行うために一つの決済サービスを選択する決済サービス選択部４７と、決済金額を入力する決済金額入力部４９と、レシートを紙に印刷するためのレシート印刷部５１と、表示部５３とを備えた構成となっている。
【００３３】
決済処理部４５は、例えば、携帯電話機１の決済処理部３に対応する、所定のＩＣチップにより実現することができる。そして、決済処理部４５は、複数の決済サービスのための個別決済処理部５７〜６５を備える。本実施形態では、個別決済処理部５７〜６５が、それぞれ決済サービスＡ〜Ｅに対応する決済処理を行う。各個別決済処理部５７〜６５は、それぞれの決済サービスに固有の手順に従って、携帯電話機１に搭載されている、それぞれ対応する個別決済処理部と決済処理を行う。各個別決済処理部５７〜６５は、さらに、決済処理が終了すると、電子レシート情報を生成する。
【００３４】
決済処理部４５は、さらに、個別決済処理部５７〜６５を管理する統合管理部５５と、携帯電話機１との間で無線によって電子マネーの決済に関する各種データの送受信を行う通信部６７とを備えた構成となっている。
【００３５】
統合管理部５５は、携帯電話機１の統合管理部２２と相互認証を行う。
【００３６】
決済サービス選択部４７は、複数の個別決済処理部５７〜６５のいずれかを選択し、選択された個別決済処理部５７〜６５に決済処理を実行させる。個別決済処理部５７〜６５の選択は、例えば、決済サービス選択部４７が表示部５３に選択画面（詳細は後述する）を表示させて、ユーザまたはユーザの依頼によってオペレータに選択させるようにしてもよい。あるいは、ユーザ設定情報記憶部２３に記憶されているユーザ設定情報を取得して、これに基づいて定めてもよい。
【００３７】
また、決済サービス選択部４７は、レシートの出力形式を選択する。例えば、レシートとして、紙レシートを出力するか、電子レシート情報を携帯電話機１へ送信するか、あるいは両方とも出力するかを決定する。レシート出力形式の選択は、決済サービスの選択と同様に、所定の選択画面またはユーザ設定情報に従って行ってもよい。
【００３８】
表示部５３は、ユーザが操作しやすいようにタッチパネルディスプレイとなっている。つまり、携帯電話機１による電子マネーの決済方法や電子レシートの選択方法は、図２に示すようなＧＵＩ（Graphical User Interface）によって決済端末装置４１の表示部５３に視覚的に表示されるので、ユーザは表示部５３の画面に従って決済操作などを簡単に行うことができる。このとき、表示部５３の後ろに通信部６７を設置しておけば、ユーザは画面１００で所望の選択を行った後、携帯電話機１を表示部５３にかざすことで、決済を行うことができる。
【００３９】
図２は、決済サービス選択部４７が表示部５３に表示させるユーザインタフェース画面の一例を示す。
【００４０】
決済サービス選択部４７は、同図に示す選択画面１００を表示部５３に表示させる。選択画面１００は、決済サービス選択領域１１０と、レシート選択領域１２０とを有する。
【００４１】
決済サービス選択領域１１０には、決済端末装置４１に決済機能が搭載されている決済サービスＡ〜Ｅの選択受付部１１１〜１１５が表示されている。
【００４２】
レシート出力形式選択部１２０には、紙レシートのみを出力１２１、電子レシートのみを出力１２２及び紙及び電子レシートを出力１２３の３つの出力形態の選択領域が表示されている。
【００４３】
このとき、ユーザは、決済サービス選択領域１１０から選択受付部１１０〜１５０のいずれかを選択して決済サービスを指定することができる。また、ユーザは、レシート出力形式選択部１２０から所望のレシート出力形式を選択できる。
【００４４】
ユーザは、決済サービス選択領域１１０及びレシート選択領域１２０のいずれか一方のみを選択してもよいし、いずれも選択しなくてもよい。
【００４５】
この選択画面１００において選択を受け付けた決済サービス及びレシート出力形式は、決済サービス選択部４７に通知される。決済サービス選択部４７は、ユーザ設定情報よりも、選択画面１００が受け付けた選択を優先させて、決済サービス及びレシートの出力形式を決定するようにしてもよい。
【００４６】
例えば、図２において、決済サービスＢの選択領域１１２が選択されると、図３（ａ）に示すように、決済サービスＢを他の決済サービスに比べて目立つ表示態様を変更してもよい。また、電子レシートのみを出力する選択領域１２２が選択されると、図３（ｂ）に示すように、他の出力態様のより目立つ表示態様を変更してもよい。これにより、画面１００での選択状態がユーザに一目瞭然である。
【００４７】
また、高額決済時は、さらにＰＩＮ入力画面に切り換えて、ユーザにＰＩＮ入力をさせてもよい。
【００４８】
図４は、図１に示す決済システムにおいて決済端末が行う電子マネーの決済処理の流れを示すフローチャートである。
【００４９】
まず、決済端末装置４１の決済処理部４５は、通信相手である携帯電話機１に存在する決済処理部３の検出及び認証を行う（ステップＳ１１）。そして、決済処理部４５は、決済処理部３が検出され、その認証に成功するまでは（ステップＳ１１：Ｎｏ）、その認証処理を継続する。
【００５０】
携帯電話機１に存在する決済処理部３が正当なものであると認証された場合は（ステップＳ１１：Ｙｅｓ）、決済サービス選択部４７は、選択画面１００においていずれかの決済サービスが選択済みであるか否かを判断する（ステップＳ１２）。いずれかの決済サービスが選択されていれば（ステップＳ１２：Ｙｅｓ）、ここで選択された決済サービスを利用決済サービスと決定する（ステップＳ１３）。
【００５１】
一方、ステップＳ１２において、いずれの決済サービスも選択されていなければ（ステップＳ１２：Ｎｏ）、統合管理部５５は、携帯電話機１の決済処理部３に統合管理部１３が存在し、かつ正当なものであるか否かの認証を行う（ステップＳ１４）。
【００５２】
統合管理部１３が存在し、かつ正当なものであると認証された場合は（ステップＳ１４：ＯＫ）、統合管理部５５は、ユーザ設定情報記憶部２３に格納されているユーザ設定情報を取得する。そして、決済サービス選択部４７は、取得したユーザ設定情報に従って、利用する決済サービスを決定する（ステップＳ１５）。
【００５３】
一方、統合管理部１３が正当なものであると認証されない場合は（ステップＳ１４：ＮＧ）、決済端末装置４１は、決済サービスの選択を促す画面を表示部５３に表示して（ステップＳ１６）、ユーザに利用する決済サービスを決定させる（ステップＳ１７）。
【００５４】
このようにして、ステップＳ１３、ステップＳ１５、またはステップＳ１７によって利用決済サービスが決定された後、その利用決済サービスに対応する個別決済処理部５７〜６５が、携帯電話機１の対応する個別決済処理部１５〜１９の認証を行う（ステップＳ１８）。ここで、例えば、決済サービスＡが選択されている場合には、個別決済処理部５７が個別決済処理部１５を検出して、相互認証を行う。
【００５５】
この認証がＮＧであれば（ステップＳ１８：ＮＧ）、決済端末装置４１は、表示部５３にエラー表示を行う（ステップＳ１９）。
【００５６】
一方、ステップＳ１８での認証がＯＫであれば（ステップＳ１８：ＯＫ）、決済端末装置４１及び携帯電話機１の認証された個別決済処理部同士で決済処理を行う（ステップＳ２０）。
【００５７】
また、決済が実行される前に、ユーザが携帯電話機１に所定の操作を行って有効なクーポンの利用することの意思表示をしていたときは、この決済処理においては携帯電話機１からクーポン情報を取得して、個別決済処理部５７〜６５がクーポンを利用した決済処理を行う。そして、個別決済処理部５７〜６５が携帯電話機１に対してクーポンの使用済み通知を行う。
【００５８】
次に、レシートの出力形式を判定する（Ｓ２１）。すなわち、選択画面１００でレシートの出力形式が選択されていれば、決済サービス選択部４７は、その選択された形式でレシートを出力するように決定する。また、選択画面１００でレシートの出力形式が選択されていなければ、決済サービス選択部４７は、ユーザ設定情報に従ってレシート出力形式を決定する。
【００５９】
そして、決済端末装置４１は、ステップＳ２１で決定された出力形式でレシートを出力する（Ｓ２２）。
【００６０】
本実施形態によれば、１台の決済端末によって種々の電子マネー決済サービスに対応して電子マネーの決済処理を行うことができるので、店舗側は複数の決済端末を設置する必要がなくなる。これにより、店舗側は１台の決済端末を設置すれば複数の電子マネー決済サービスに対応することができるので、狭い店舗でもスペースを有効に使うことができるとともに、設備コストを大幅に低減させることができる。
【００６１】
さらに、ユーザ側にとっては、購入金額の多少、店舗の種類、決済手段の利用頻度、プリペード式またはクレジット式などの決済サービスの特性に応じて、利用する決済手段の優先順位を任意に設定することができるので、決済時における利便性が一段と向上する。
【００６２】
以上、本発明の実施形態を説明したが、この実施形態は本発明の説明のための例示にすぎず、本発明の範囲をこの実施形態にのみ限定する趣旨ではない。本発明は、その要旨を逸脱することなく、その他の様々な態様でも実施することができる。
【図面の簡単な説明】
【００６３】
【図１】本発明の一実施形態に係る電子マネー決済システムの構成を示すブロック図。
【図２】決済端末の表示部に表示されるユーザインタフェース画面。
【図３】決済端末の表示部に表示されるユーザインタフェース画面。
【図４】本実施形態に係る電子マネー決済システムの決済処理の流れを示すフローチャート。
【符号の説明】
【００６４】
１…携帯電話機、３…決済処理部、５…決済管理部、７…携帯電話機能部、１３…統合管理部、１５，１７，１９…個別決済処理部、２２…統合管理部、２３…ユーザ設定情報記憶部、２５，２７，２９…個別決済管理部、４１…決済端末装置、４５…決済処理部、４７…決済サービス選択部、５５…統合管理部、５７，５９，６５…個別決済処理部、５７…個別決済処理部。
【図１】
2007280065.tif 000003
【図２】
2007280065.tif 000004
【図３】
2007280065.tif 000005
【図４】
2007280065.tif 000006